(57)【特許請求の範囲】
【請求項１】
基板の外側面に表面材を接合した左右の側板を備えたキャビネットにおいて、前記左右の側板の各々は、前記基板の下端側の外側及び背側の各縁部に幅木回避用段部が形成されていると共に、両幅木回避用段部が前記表面材で覆われていることを特徴とする幅木回避用段部付きキャビネット。
【請求項２】
前記左右の側板の各々が、上下に分離できる上下の分割部からなり、下方の分割部に前記幅木回避用段部が形成されている請求項１記載の幅木回避用段部付きキャビネット。
【請求項３】
基板の木口側の一方の長手縁部及び一方の短手縁部の各々に幅木回避用段部が形成され、幅木回避用段部が基板に接合した表面材で覆われていることを特徴とする幅木回避用段部付き板材。
【請求項４】
基板の木口側の一方の長手縁部及び両方の短手縁部の各々に幅木回避用段部が形成され、これら幅木回避用段部が基板に接合した表面材で覆われていることを特徴とする幅木回避用段部付き板材。
【発明の詳細な説明】
【０００１】
【発明の属する技術分野】
本発明は、幅木のある室内壁に当接させるように設置するキャビネット、並びこのように設置するキャビネットやカウンター等の側板等に用いる板材に関するものである。部屋には、室内壁の下端に幅木を取り付けたものがある。この室内壁にキャビネットやカウンターを当接するように施工する場合には、キャビネットやカウンターの側板の下端寄りに幅木回避用段部を形成して、側板が幅木と干渉しなようにする必要がある。
【０００２】
【従来の技術】
従来、幅木のある室内壁にキャビネットやカウンターを当接するように施工する場合には、キャビネットやカウンターの側板の下端寄りに幅木回避用段部を製造元で予め形成し、施工現場に搬入するようにしていた。
【０００３】
【発明が解決しようとする課題】
しかし、従来の方法では、次のような問題をあった。
（１）キャビネット等を設置する位置や幅木の高さ寸法が施工現場毎に異なるため、幅木のある室内壁に当接させるキャビネット等の側板が左右のいずれであるか、更に幅木の大きさが具体的にどの程度かを予め確認し、製造元に発注する手間を必要としていた。
【０００４】
（２）発注して製造された後には、キャビネット等を設置する位置や幅木の高さ寸法を変更するこができない。もし、どうしても変更する場合には、再度発注し直して製造する必要があり、前回製造されているキャビネット等が無駄になる。
【０００５】
本発明は、上記問題に鑑み、施工現場で幅木回避用段部を容易に得ることができるキャビネット及び幅木回避用段部付き板材の提供を目的とする。
【０００６】
【課題を解決するための手段】
施工現場で幅木回避用段部が容易に得られるキャビネットとするために請求項１記載の本発明が採用した手段は、基板の外側面に表面材を接合した左右の側板を備えたキャビネットにおいて、前記左右の側板の各々は、前記基板の下端側の外側及び背側の各縁部に幅木回避用段部が形成されていると共に、両幅木回避用段部が前記表面材で覆われていることを特徴とする幅木回避用段部付きキャビネットである。
本発明にあっては、施工現場の幅木の位置及び大きさに応じて、キャビネットの左右の側板の一方または両方について、幅木回避用段部を覆う表面材を施工現場で切断して除去することで、施工現場の幅木の位置及び大きさに対応した幅木回避用段部を露出させることができる。
【０００７】
幅木回避用段部が更に容易に得られるようにするために請求項２記載の本発明が採用した手段は、前記左右の側板の各々が、上下に分離できる上下の分割部からなり、下方の分割部に前記幅木回避用段部が形成されている請求項１記載の幅木回避用段部付きキャビネットである。更に、施工を容易とするために、左右の下方の分割部どうしを蹴込み板で連結して一体化して台座部を形成しておくこともある。
本発明にあっては、表面材を切断して除去する対象が、分離して小さくなっている下方の分割部であるため、表面材の切断・除去作業が容易にできるようになる。
【０００８】
施工現場で幅木回避用段部が容易に得られる板材とするために請求項３記載の本発明が採用した手段は、基板の木口側の一方の長手縁部及び一方の短手縁部の各々に幅木回避用段部が形成され、幅木回避用段部が基板に接合した表面材で覆われていることを特徴とする幅木回避用段部付き板材である。
本発明にあっては、施工現場の幅木の位置及び大きさに応じて、表面材を施工現場で切断して除去することで、施工現場の幅木の位置及び大きさに対応した幅木回避用段部を露出させることができる。
【０００９】
幅木のある室内壁に当接させる面が左右のいずれにも対処できるようにするために請求項４記載の本発明が採用した手段は、基板の木口側の一方の長手縁部及び両方の短手縁部の各々に幅木回避用段部が形成され、これら幅木回避用段部が基板に接合した表面材で覆われていることを特徴とする幅木回避用段部付き板材である。
本発明にあっては、短手方向の表面材のいずれか一方を選択して切断・除去することで、一枚の板材を左側用または右側用とすることができる。
【００１０】
【発明の実施の形態】
以下、本発明に係るキャビネット及び幅木回避用段部付き板材（以下、「本発明キャビネット」及び「本発明板材」という）を図面に示す実施の形態に基づいて説明する。
【００１１】
（第１の実施の形態）
図１乃至図３は本発明の第１の実施の形態を示すものであり、図１は本発明キャビネットを用いて組み立てた洗面化粧台を示す斜視図、図２は施工前の本発明キャビネットを示すものであって、同図（Ａ）は正面図、同図（Ｂ）は右側面図、同図（Ｃ）は右側縦断面図、図３は施工前の本発明キャビネットの右側板を構成する本発明板材を示すものであって、同図（Ａ）は一部破断した正面図、同図（Ｂ）は一部破断した右側面図、同図（Ｃ）は背面図、（Ｄ）は底面図である。
【００１２】
図１に示すように、洗面化粧台１は、本発明キャビネット２の上端に洗面器３を載置して構成してある。本発明キャビネット２は、図２に示す如く、本発明板材からなる左右の側板４，５と、左右の側板４，５を連結する連結材６，７，８，蹴込み板９及び背板１０と、左右の側板４，５の間で連結材６，７の上に配置した底板２０と、左右の側板４，５へ蝶番（図示略）を介して取付けた左右の開閉扉１１，１１とを備えている。左右の側板４，５の各々は、上端面に洗面器連結用のダボ１２を突設すると共に、下端側に設けたボルト等からなる高さ調節用部材１３を備えている。
【００１３】
上記本発明板材からなる右側の側板５は、図３に示す如く、厚みが２４ｍｍ程度の木質板材で枠組み形成した基板１４と、基板１４の左右の側面に接合した厚みが２．５ｍｍ程度の化粧合板からなる側面表面材１５，１６と、基板１４の正面に接合した合成樹脂製テープからなる正面表面材１７とで形成されている。この側板５は、基板１４の木口側（下端側）の右側縁部に、長手方向に沿う幅木回避用段部１８が削成等して形成されていると共に、幅木回避用段部１８が側面表面材１６及び正面表面材１７で覆われている。また、この側板５は、基板１４の木口側（下端側）の背側縁部に、短手方向に沿う幅木回避用段部１９が削成等して形成されていると共に、幅木回避用段部１９が両方の側面表面材１５，１６で覆われている。幅木回避用段部１８，１９は、厚みＷが１２ｍｍで高さＨが１００ｍｍ程度に形成され、一般に用いられる幅木Ａの最大寸法に対処できるようにしてある。本発明板材からなる左側の側板４は、その詳細図は省略したが、上記右側の側板５と対称の構造となるように形成されている。
【００１４】
図１に示す幅木Ａ，Ａのある室内壁Ｒ１，Ｒ２に本発明キャビネット２を当接させるように施工する場合には、本発明キャビネット２の右側板４の右側（キャビネット外側）下端寄りに幅木回避用段部１８を露出させると共に、本発明キャビネット２の両側板４，５の各背面下端寄りに幅木回避用段部１９を露出させ、露出した幅木回避用段部１８，１９に幅木Ａ，Ａを侵入させるようにして設置を行う。長手の幅木回避用段部１８の露出は、図２に示す右側板５の側表面材１６及び正面表面材１７を、現場の幅木Ａに対応する所定位置で切断除去して行う。短手の幅木回避用段部１９の露出は、左側板４の両方の側面表面材１５，１６の背側及び右側板５の内側の側面表面材１５の背側を、現場の幅木Ａに対応する所定位置で切断除去して行う。幅木回避用段部１８，１９を露出させるための切断除去は、側面表面材１５，１６及び正面表面材１７が薄い切断容易なものであるため、施工現場においてカッターや鋸等を用いて簡単に行うことができる。なお、左側の室内壁（図示略）に本発明キャビネット２の左側板４を当接させるように設置する場合には、本発明キャビネット２の左側板４の左側下端寄りに幅木回避用段部１８を露出させる。
【００１５】
（第２の実施の形態）
図４及び図５は本発明の第２の実施の形態を示すものであり、図４は本発明キャビネットの上下の分割部を接合した状態を示すものであって、同図（Ａ）は正面図、同図（Ｂ）は右側面図、同図（Ｃ）は右側縦断面図、図５は本発明キャビネットの上下の分割部を分離した状態を示すものであって、同図（Ａ）は一部破断した正面図、同図（Ｂ）は一部破断した右側面図、同図（Ｃ）は右側縦断面図、同図（Ｄ）は要部を拡大して示す部分断面した正面図である。
【００１６】
本発明キャビネット２２は、左右の側板２４，２５の各々が、上方の分割部２４ａ，２５ａと下方の分割部２４ｂ，２５ｂとに分離と接合ができるように形成され、下方の分割部２４ｂ，２５ｂの各々に幅木回避用段部１８，１９が形成されている。左右の側板２４，２５の各々は、上下の分割部２４ａ，２４ｂ（２５ａ，２５ｂ）を接合したとき、キャビネット外側を臨む外側面が面一となるようにしてある。左右の側板２４，２５の各々は、上端面に洗面器連結用のダボ１２を突設すると共に、下端面に高さ調節用部材１３を備えている。
【００１７】
左右の側板２４，２５の上方の分割部２４ａ，２５ａは、厚みが１５ｍｍ程度の木質板材で枠組み形成した基板３４と、基板３４の左右の表面に接合した厚みが２．５ｍｍ程度の化粧合板からなる側面表面材３５，３６と、基板３４の正面に接合した合成樹脂製テープからなる正面表面材３７とで形成されている。上方の分割部２４ａ，２５ａは、連結材３０及び背板３９で連結されていると共に、蝶番（図示略）を介して開閉扉３１，３１を取付けて、キャビネット上半部を形成している。
【００１８】
左右の側板２４，２５の下方の分割部２４ｂ，２５ｂは、連結材２６，２７，２８及び蹴込み板２９で連結して台座部４０を構成し、キャビネット上半部を形成する分割部２４ａ，２５ａを載置できるようにしてある。台座部４０は、連結材２６，２７の上に、底板３２を着脱自在に載置するようにしてある。下方の分割部２４ｂ，２５ｂの各々は、厚みが２４ｍｍ程度の木質基板４４と、基板４４の左右の表面に接合した厚みが２．５ｍｍ程度の化粧合板からなる側面表面材４５，４６と、基板４４の正面に接合した合成樹脂製テープからなる正面表面材４７とで形成されている。
【００１９】
下方の分割部２４ｂ，２５ｂの各々は、基板４４の木口側（下端側）の外側縁部に、長手方向に沿う幅木回避用段部１８が削成等して形成されていると共に、幅木回避用段部１８が側面表面材４６及び正面表面材４７で覆われている。また、下方の分割部２４ｂ，２５ｂの各々は、基板４４の木口側（下端側）の背側縁部に、短手方向に沿う幅木回避用段部１９が削成等して形成されていると共に、幅木回避用段部１９が両方の側面表面材４５，４６で覆われている。幅木回避用段部１８，１９は、前記実施の形態と同様に、厚みＷが１２ｍｍで高さＨが１００ｍｍ程度に形成され、一般に用いられる幅木の最大寸法に対処できるようにしてある。なお、下方の分割部２４ｂ，２５ｂの各々は、キャビネット内側の側面表面材４５を省略することがある。
【００２０】
図１に示す幅木Ａ，Ａのある室内壁Ｒ１，Ｒ２に、図４に示す本発明キャビネット２２を当接させるように施工する場合には、本発明キャビネット２２の台輪４０を構成する下方の分割部２４ｂ，２５ｂの所定位置に、幅木回避用段部１８及び幅木回避用段部１９を露出させ、露出した幅木回避用段部１８，１９に幅木Ａ，Ａを侵入させるようにして台座部４０を設置して行う。幅木回避用段部１８の露出は、いずれか一方の分割部２４ｂ，２５ｂの側面表面材４６及び正面表面材４７を、現場の幅木Ａに対応する所定位置で切断除去して行う。幅木回避用段部１９の露出は、分割部２４ｂ，２５ｂの側面表面材４５，４６の背側を、幅木Ａに対応する所定位置で切断除去して行う。幅木回避用段部１８，１９を露出させるための切断除去は、施工現場において、軽量の台座部４０に対してカッターや鋸等を用いて簡単に行うことができる。この台座部４０の設置が終了したならば、台座部４０の上に、上方の分割部２４ａ，２５ａで形成されているキャビネット上半部を載置して施工を完了する。
【００２１】
（第３の実施の形態）
図６及び図７は本発明の第３の実施の形態を示すものであり、図６は本発明板材を示すものであって、同図（Ａ）は一部破断した正面図、同図（Ｂ）は一部破断した右側面図、同図（Ｃ）は一部破断した背面図、同図（Ｄ）は底面図、図７は本発明板材を用いて組み立てカウンターを示すものであって、同図（Ａ）は左側隅部に寄せて設置した斜視図、同図（Ｂ）は右側隅部に寄せて設置した斜視図である。
【００２２】
本発明板材５１は、厚みが２４ｍｍ程度の木質板材で枠組み形成した基板５４と、基板５４の左右の側面に接合した厚みが２．５ｍｍ程度の化粧合板からなる表面材５５，５６と、基板５４の正面及び背面に接合した合成樹脂製テープからなる表面材５７，５８とで構成されている。本発明板材５１は、基板５４の木口側（下端側）の右側の長手縁部に幅木回避用段部１８が形成されている共に、同木口側（下端側）の正面及び背面の両方の短手縁部の各々に幅木回避用段部１９が形成され、これら幅木回避用段部１８，１９が表面材５６，５７，５８で覆われている。これら幅木回避用段部１８，１９は、前記実施の形態と同様に、厚みＷが１２ｍｍで高さＨが１００ｍｍ程度に形成され、一般に用いられる幅木Ａ（図７参照）の最大寸法に対処できるようにしてある。
【００２３】
本発明板材５１は、左右の側面が同質の表面材５５，５６で覆われていると共に、正面及び背面が同質の表面材５７，５８で覆われているため、正面と背面ととを逆転させることで、左側用又は右側用とすることができる。図７に示すカウンター６１は、二枚の本発明板材５１を左側用脚６２と右側用脚６３とに使用し、両脚６２，６３に天板６４を架設して構成してある。
【００２４】
カウンター６１は、図７（Ａ）に示すように、幅木Ａのある左側の室内壁Ｒ３に左側用脚６２を当接させると共に、幅木Ａのある正面室内壁Ｒ２に左右の脚６２，６３を当接させるように施工する場合には、左側用脚６２の左側下方に幅木回避用段部１８を露出させると共に、左右の脚６２，６３の背面側下方に幅木回避用段部１９を露出させた後に設置して行う。また、カウンター６１は、図７（Ｂ）に示すように、幅木Ａのある右側の室内壁Ｒ１に右側用脚６３を当接させると共に、幅木Ａのある正面室内壁Ｒ２に左右の脚６２，６３を当接させるように施工する場合には、右側用脚６３の右側下方に幅木回避用段部１８を露出させると共に、左右の脚６２，６３の背面側下方に幅木回避用段部１９を露出させた後に設置して行う。カウンター６１の設置は、露出した幅木回避用段部１８，１９に幅木Ａ，Ａを侵入させるようにして行う。
【００２５】
前記幅木回避用段部１８を露出させる場合には、化粧合板からなる表面材５６及び合成樹脂製テープからなる表面材５７，５８を、施工現場の幅木Ａに対応する所定位置で切断除去して行う。前記幅木回避用段部１９を露出させる場合には、設置するときに背側となる合成樹脂製テープからなる表面材５７又は５８及び化粧合板からなる表面材５５，５６を、施工現場の幅木Ａに対応する所定位置で切断除去して行う。幅木回避用段部１８，１９を露出させるための切断除去は、施工現場においてカッターや鋸等を用いて簡単に行うことができる。
【００２６】
（その他の実施の形態）
本発明キャビネットは、前記第１及び２の実施の形態の洗面化粧台用のもの以外に、収納家具用又は収納庫用等のものにも適用することができる。
【００２７】
【発明の効果】
請求項１記載の本発明に係るキャビネットは、施工現場の幅木の位置及び大きさに応じた幅木回避用段部が施工現場で容易に得られるため、キャビネット製造元に指示することなく施工現場の仕様に対処でき、施工性の向上が図れる。
請求項２記載の本発明に係るキャビネットは、分離して小さくなっている下方の分割部の表面材を切断・除去するため作業が容易となり、施工性を更に向上できる。
【００２８】
請求項３記載の本発明に係る幅木回避用段部付き板材は、施工現場の幅木の位置及び大きさに応じた幅木回避用段部が施工現場で容易に得られるため、カウンター等を構成する板材を容易に提供できる。
請求項４記載の本発明に係る幅木回避用段部付き板材は、一枚の板材を右側用または左側用とすることができる。
【図面の簡単な説明】
【図１】本発明の第１の実施の形態を示すものであり、本発明キャビネットを用いて組み立てた洗面化粧台を示す斜視図である。
【図２】同実施の形態における施工前の本発明キャビネットを示すものであって、同図（Ａ）は正面図、同図（Ｂ）は右側面図、同図（Ｃ）は右側縦断面図である。
【図３】同実施の形態における施工前の本発明キャビネットの左側板を構成する本発明板材を示すものであって、同図（Ａ）は一部破断した正面図、同図（Ｂ）は一部破断した右側面図、同図（Ｃ）は背面図、（Ｄ）は底面図である。
【図４】本発明の第２の実施の形態に係る本発明キャビネットの上下の分割部を接合した状態を示すものであって、同図（Ａ）は正面図、同図（Ｂ）は右側面図、同図（Ｃ）は右側縦断面図である。
【図５】同実施の形態における本発明キャビネットの上下の分割部を分離した状態を示すものであって、同図（Ａ）は一部破断した正面図、同図（Ｂ）は一部破断した右側面図、同図（Ｃ）は右側縦断面図、同図（Ｄ）は要部を拡大して示す部分断面した正面図である。
【図６】本発明の第３の実施の形態に係る本発明板材を示すものであって、同図（Ａ）は一部破断した正面図、同図（Ｂ）は一部破断した右側面図、同図（Ｃ）は一部破断した背面図、同図（Ｄ）は底面図である。
【図７】同実施の形態における本発明板材を用いて組み立てカウンターを示すものであって、同図（Ａ）は左側に寄せて設置した斜視図、同図（Ｂ）は右側に寄せて設置した斜視図である。
【符号の説明】
４（５，２４，２５）…側板、１４（３４，４４，５４）…基板、１５（１６，３５，３６，４５，４６）…側面表面材、１７（３７，４７）…正面表面材、１８（１９）…幅木回避用段部、２４ａ（２４ｂ）…分割部、２５ａ（２５ｂ）…分割部，５５〜５８…表面材、Ａ…幅木
【図１】
0004340999.tif 000002
【図２】
0004340999.tif 000003
【図３】
0004340999.tif 000004
【図４】
0004340999.tif 000005
【図５】
0004340999.tif 000006
【図６】
0004340999.tif 000007
【図７】
0004340999.tif 000008